(57)【要約】【課題】建造物の縦面を緑化するための縦面緑化装置を、水平方向を向く状態で縦面に固定される取付け下地に、苗床を枠材で支持してなる緑化用ユニットを取付けて構成したものにおいて、苗床に灌水するための灌水パイプを設けるにあたり、緑化用ユニットと灌水パイプとのそれぞれを単独で取付け、取外しできるようにする。【解決手段】取付け下地１５に、灌水パイプ１８を収納できる広さを有し、下部に下側ほど対向間隔が幅狭となるパイプ支持片１５ｋ、１５ｊが設けられ、該パイプ支持片１５ｋ、１５ｊの下端が、灌水パイプ１８の外径よりも小さな開口寸法で開口１５ｉしたパイプ支持溝１５ｅを形成し、該パイプ支持溝１５ｅに灌水パイプ１８を配設した。【選択図】図１５
2014195416.tif 000002
【特許請求の範囲】
【請求項１】
建造物の壁面を植物で緑化するための壁面緑化装置を、水平方向を向く状態で壁面に固定される取付け下地に、植物が植栽される苗床を枠材で支持してなる緑化用ユニットを取付けて構成するにあたり、前記取付け下地に、苗床に灌水するための灌水パイプを配設する灌水パイプ用配設スペースを設けたことを特徴とする壁面緑化装置における灌水構造。
【請求項２】
取付け下地に、灌水パイプを収納できる広さを有し、下端が灌水パイプの外径よりも小さな開口寸法で開口したパイプ支持溝を形成し、該パイプ支持溝を灌水パイプ用配設スペースにしたことを特徴とする請求項１記載の壁面緑化装置における灌水構造。
【請求項３】
パイプ支持溝の下部は、下側ほど対向間隔が幅狭となるよう傾斜状に形成され、該傾斜状部の下端が開口していることを特徴とする請求項２記載の壁面緑化装置における灌水構造。
【請求項４】
苗床を支持する枠材は、苗床の上側を支持する上枠を備え、該上枠は、苗床よりも前後方向幅狭に形成されていて苗床の上面の一部が上枠から前後方向に突出する構成になっていると共に、パイプ支持溝の下端の開口は、上枠から前後方向に突出する苗床の上方に位置するように設定されることを特徴とする請求項２または３記載の壁面緑化装置における灌水構造。
【請求項５】
取付け下地は、緑化用ユニットを取付けるための取付けボルトが配置されるボルト配置部を備えると共に、パイプ支持溝は、前記ボルト配置部の後側に形成されていることを特徴とする請求項２乃至４の何れか１記載の壁面緑化装置における灌水構造。
【請求項６】
取付け下地は上下方向に間隔を存する状態で複数配置され、これら取付け下地の上下間に緑化用ユニットがそれぞれ配置される構成であると共に、パイプ支持溝の上面部には、上側に配置される緑化用ユニットから流出する余剰水をパイプ支持溝に流すための水抜き孔が形成されていることを特徴とする請求項２乃至５の何れか１記載の壁面緑化装置における灌水構造。
【発明の詳細な説明】
【技術分野】
【０００１】
本発明は、ビルの外壁や擁壁、フェンス、モニュメント等の建造物の壁面を緑化するための壁面緑化装置における灌水構造の技術分野に関するものである。
【背景技術】
【０００２】
今日、ビルの外壁や擁壁、フェンス、モニュメント等の建造物の壁面を緑化することで都市部等での緑化面積を確保すると共に、断熱機能を発揮させてエネルギーの省力化を図ることが提唱されている。このように建造物の壁面を緑化するための壁面緑化装置としては、従来、建造物の壁面に固定した取付け下地に、植物が植設される苗床を枠材で支持してユニット化した緑化用ユニットを配置取付けしたものが知られている（例えば特許文献１参照）。
ところで、前述したような壁面緑化装置の苗床には、植物の育成のために人工的に灌水することが要求され、そこで、前記従来のものでは、灌水パイプを苗床の上面に載置し、該灌水パイプから水が苗床に供給されるようにすると共に、苗床に載置しただけでは不安定であるため、枠材の上面に切り起した爪によって灌水パイプを固定している。
【先行技術文献】
【特許文献】
【０００３】
【特許文献１】特開２００１−１６９６５８号公報
【発明の概要】
【発明が解決しようとする課題】
【０００４】
しかしながら前記従来のものは、灌水パイプが緑化用ユニットの枠材に固定されているため、例えば緑化用ユニットのメンテナンスや交換等のために緑化用ユニットを取付け下地から取外すような場合、或いは、灌水パイプのメンテナンスや交換等を行なうために灌水パイプを取外すような場合に、緑化用ユニットと灌水パイプとの固定を解除する作業が必要になって、面倒であり作業性に劣る許りか、緑化用ユニットに植栽された植物を傷めてしまう惧れもある。しかも、苗床の上面に載置された灌水パイプは外部から見えることになり、意匠性に劣るという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、建造物の壁面を植物で緑化するための壁面緑化装置を、水平方向を向く状態で壁面に固定される取付け下地に、植物が植栽される苗床を枠材で支持してなる緑化用ユニットを取付けて構成するにあたり、前記取付け下地に、苗床に灌水するための灌水パイプを配設する灌水パイプ用配設スペースを設けたことを特徴とする壁面緑化装置における灌水構造である。
請求項２の発明は、取付け下地に、灌水パイプを収納できる広さを有し、下端が灌水パイプの外径よりも小さな開口寸法で開口したパイプ支持溝を形成し、該パイプ支持溝を灌水パイプ用配設スペースにしたことを特徴とする請求項１記載の壁面緑化装置における灌水構造である。
請求項３の発明は、パイプ支持溝の下部は、下側ほど対向間隔が幅狭となるよう傾斜状に形成され、該傾斜状部の下端が開口していることを特徴とする請求項２記載の壁面緑化装置における灌水構造である。
請求項４の発明は、苗床を支持する枠材は、苗床の上側を支持する上枠を備え、該上枠は、苗床よりも前後方向幅狭に形成されていて苗床の上面の一部が上枠から前後方向に突出する構成になっていると共に、パイプ支持溝の下端の開口は、上枠から前後方向に突出する苗床の上方に位置するように設定されることを特徴とする請求項２または３記載の壁面緑化装置における灌水構造である。
請求項５の発明は、取付け下地は、緑化用ユニットを取付けるための取付けボルトが配置されるボルト配置部を備えると共に、パイプ支持溝は、前記ボルト配置部の後側に形成されていることを特徴とする請求項２乃至４の何れか１記載の壁面緑化装置における灌水構造である。
請求項６の発明は、取付け下地は上下方向に間隔を存する状態で複数配置され、これら取付け下地の上下間に緑化用ユニットがそれぞれ配置される構成であると共に、パイプ支持溝の上面部には、上側に配置される緑化用ユニットから流出する余剰水をパイプ支持溝に流すための水抜き孔が形成されていることを特徴とする請求項２乃至５の何れか１記載の壁面緑化装置における灌水構造である。
【発明の効果】
【０００６】
請求項１の発明とすることにより、緑化用ユニットや灌水パイプのメンテナンスや交換等を行なう場合に、緑化用ユニット、灌水パイプのそれぞれを他方に関わりなく単独で取外し、取付けできることになって、作業性が大幅に向上する。
請求項２の発明とすることにより、灌水パイプは、取付け下地に形成されるパイプ支持溝に収納される状態で配設されることになるから、灌水パイプが外部から目視されることなく、壁面緑化装置の意匠を大幅に向上させることができる。
請求項３の発明とすることにより、パイプ支持溝の下部の傾斜状部によって灌水パイプを位置決め状に支持できると共に、灌水パイプから供給される水をパイプ支持溝内で停留させることなく確実に開口から下方に落下させることができる。
請求項４の発明とすることにより、灌水パイプから供給される水を、上枠に妨げられることなく確実に苗床に供給することができる。
請求項５の発明とすることにより、取付け下地の上下幅を長くすることなくパイプ支持溝を設けることができ、更なる意匠性の向上に貢献できる。
請求項６の発明とすることにより、上側の緑化用ユニットから流出する余剰水を下側の緑化用ユニットに供給できることになり、而して、余剰水も無駄なく使用することができる。
【図面の簡単な説明】
【０００７】
【図１】壁面緑化装置の全体正面図である。
【図２】壁面緑化装置の全体斜視図である。
【図３】（Ａ）は袋体の斜視図、（Ｂ）は平面部を開けた状態の袋体の背面斜視図、（Ｃ）は袋体の展開図、（Ｄ）は突き合わせコーナー部の縫合状態を示す断面図、（Ｅ）は折り曲げコーナー部の縫合状態を示す断面図である。
【図４】（Ａ）は箱体の斜視図、（Ｂ）は平面部を開けた状態の箱体の背面斜視図、（Ｃ）は箱体の展開図である。
【図５】苗床の形成手順を示す図である。
【図６】苗床の形成手順を示す図である。
【図７】（Ａ）、（Ｂ）、（Ｃ）は枠材の平面図、正面図、側面図である。
【図８】枠材の分解斜視図である。
【図９】（Ａ）、（Ｂ）、（Ｃ）は緑化用ユニットの組込み手順を示す説明図である。
【図１０】（Ａ）は封止材の斜視図、（Ｂ）は苗床への植栽手順を示す説明図である。
【図１１】（Ａ）、（Ｂ）、（Ｃ）は取付け下地の平面図、正面図、底面図、（Ｄ）は（Ｂ）のＸ−Ｘ断面拡大図である。
【図１２】図１の一部切欠き拡大図である。
【図１３】壁面緑化装置の平面図である。
【図１４】壁面緑化装置の縦断面図である。
【図１５】図１４の要部拡大図である。
【図１６】取付け下地の取付けを示す斜視図である。
【図１７】緑化用ユニットの取付けを示す斜視図である。
【発明を実施するための形態】
【０００８】
以下、本発明の実施の形態について、図面に基づいて説明する。図中、１は建造物壁面緑化用苗床であって、該苗床１は、不織布（織布であってもよい）で形成されていて後述するように壁面Ｇに取り付けたとき外部に露出する袋状の袋体２と、該袋体２に内装され、形状維持するための紙製（形状維持されるものであれば布製であってもよい）の箱体３と、該箱体３に充填される粒状の土壌基材４とを用いて構成されている。
【０００９】
袋体２は、通気性、通水性、保水性に優れているが、土壌基材４は流出しない大きさの目を有した厚手の布材で形成されている。形状としては箱形状になっていれば特に限定されないが、本実施の形態では左右方向が上下方向よりもやや長くなった直方体となっており、正面部２ａ、背面部２ｂ、左右側面部２ｃ、平面部２ｄ、底面部２ｅを備えている。そして、本実施の形態では、図３（Ｃ）に示す展開図のものを縫合することで形成されているが、このものは、正面部２ａの上下両端に平面部２ｄ、底面部２ｅが連続し、平面部２ｄの上端に延長部２ｆが連続形成され、底面部２ｅの下端に背面部２ｂが連続し、背面部２ｂの左右両端に左右側面部２ｃが連続している。
そして左右側面部２ｃと正面部２ａとの突き合わせコーナー部２ｇ、左右側面部２ｃと底面部２ｅとの突き合わせコーナー部２ｈが、図３（Ｄ）に示すようにそれぞれ縫合（縫製）Ｎされることで直方体形状となっているが、本実施の形態では形状維持のため、正面部２ａと平面部２ｄとの折り曲げコーナー部２ｊ、平面部２ｄと延長部２ｆとの折り曲げコーナー部２ｋ、背面部２ｂと左右側面部２ｃとの折り曲げコーナー部２ｌを、図３（Ｅ）に示すように折り曲げて折山部分を縫合Ｎしており、底面部２ｅと正面部２ａおよび背面部２ｂとの各コーナー部２ｍ、２ｎについては縫合していないが、該コーナー部２ｍ、２ｎについても同様にして縫合してもよい。またこれらコーナー部については、形状維持するための処理として、縫合ではなく、例えば溶着や接着のような形状維持処理を施したものとしてもよいことは勿論である。
さらに袋体２は、正面部２ａに植物Ａの幹が土壌基材４から出るためのスリット２ｏが上下左右に複数形成され、平面部２ｄには灌水用の灌水孔２ｐが左右方向に複数開設されている。
因みに正面部２ａには、植栽される植物Ａの幹が貫通する貫通部が形成されていれば足りるものであり、必ずしも本実施の形態のように拡開自在なスリット２ｏである必要はない。そして本実施の形態のように開閉自在なスリット２ｏとしたことにより、植栽後、スリット２ｏを塞ぐことで土壌基材４がスリット２ｏからこぼれ落ちるのを防止でき都合がよい。そして貫通部としては、例えば単純な孔状のものであってもよく、この場合、壁面取付けしたときに、植物Ａの根張りが確りしていたり、土壌基材４が絡み合った長繊維状のものであったりしていて貫通部から土壌基材４がこぼれ落ちる惧れがない場合については、貫通部について何の手当をする必要はなくそのままの状態で壁面取付けをすることができ、一方、壁面取付けをしたときに貫通部から土壌基材４がこぼれ落ちる惧れがある場合には、後述する封止材１４のようなものを用いて貫通部を封止すればよい。
そして袋体２は、後述するように箱体３を内装した状態で、延長部２ｆを内装した箱体３の背面部３ｂと袋体背面部２ｂとのあいだに差し込むことで蓋がなされる状態で組み込まれるようになっている。因みに袋体２は、後述するように枠材６により囲撓保持されるため、延長部２ｆは、単に袋体背面部２ｂの背面に重ねるようにしてもよいことはいうまでもない。また袋体２は、後述するように箱体３を挿入組み込みする場合の開口は平面部である必要はなく例えば側面部であってもよく、また一つである必要もない。
【００１０】
また箱体３は形状維持を図るため厚手の紙材（厚紙、板紙）で形成されるが、表面がポリエチレンフィルムでラミネート処理されている。そして、該箱体３は、前述したように袋体２に内装されるものであって袋体２と同じく長方体形状をしていて、正面部３ａ、背面部３ｂ、左右側面部３ｃ、平面部３ｄ、底面部３ｅを備えて形成されている。本実施の形態では図４（Ｃ）の展開図に示すように切断されたものを組み立てて形成している。このものは正面部３ａの右端に右側面部３ｃが連続し、該右側面部３ｃの右端に背面部３ｂが連続し、該背面部３ｂの右端に左側面部３ｃが連続している。一方、正面部３ａの上端に平面部３ｄが連続し、正面部の下端に底面部３ｅが連続している。さらに左右側面部３ｃの上下端、平面部３ｄの上端、底面部３ｅの下端、正面部３ａの左端にそれぞれ重ね代３ｆ、３ｇ、３ｈ、３ｉ、３ｊ、３ｋ、３ｌが延出形成されている。
さらに背面部３ｂの上下端には差込み片３ｍが形成されるが、該差込み片３ｍの背面部３ｂ接続部位には切欠き３ｎが形成されていて差込み片３ｍを前後方向に変位できるようになっている。
一方、平面部３ｄと重ね代３ｊとのコーナー部３ｏおよび底面部３ｅと重ね代３ｋとのコーナー部３ｐには前記差込み片３ｍを差込むためのスリット３ｑが形成されている。
そして箱体３は、展開図におけるコーナー部（点線部分）を折り曲げ、重ね代３ｇ、３ｉ、３ｋ、３ｌが箱内に位置する状態で該重ね代３ｇ、３ｉ、３ｋ、３ｌを対応する箱内面部に重ね合わせると共に、差込み片３ｍをスリット３ｑに差し込むことで、平面部３ｄが開口した状態で組み立てられるようになっている。因みに、箱体３に形成する開口は、土壌基材４を充填するためのものであり、このため開口は必ずしも平面部でなくてもよく例えば側面部であってもよく、さらに植付け孔３ｒや灌水孔３ｓからでも土壌基材４を充填することができ、これら開口は一つである必要もない。
さらに箱体３の正面部３ａには植物Ａを植え付けるための植付け孔３ｒが前記袋体スリット２ｏに対応するよう縦横に複数形成され、平面部３ｄには灌水用の灌水孔３ｓが、前記袋体灌水孔２ｐに対応するよう左右に複数形成され、背面部３ｂ、底面部３ｅには通気および通水をするための細孔３ｔが複数形成されている。そして、後述するように、灌水孔３ｓから箱体３内の土壌基材４に供給された水のうち余剰分は、前記細孔３ｔから箱体３外に排出されるようになっている。
因みに本実施の形態の箱体３は、左右側面部３ｃと重ね代３ｌとが接着剤により貼着されている。
【００１１】
一方、土壌基材４は、本実施の形態では真珠岩パーライトを焼成して発泡させた粒状のものを採用しているが、これに限定されるものでなく、例えばバーミキュライト、黒土、礫、砂、鹿沼土、ガラス玉、シュロの髭、水苔等、通常知られた植栽用の土壌基材４のなかから少なくとも一種類以上を選択して使用することができる。この場合に、土壌基材４に肥料を必要において混合させておくことができる。
【００１２】
次に苗床１の形成手順について図５、図６に基づいて説明する。平面部２ｄが開いた状態の袋体２に平面部３ｄが開いた状態の箱体３を挿入組み込みする。次いで、該箱体３が組み込まれた袋体２を立ち状態の型材５に組み込んだ後、土壌基材４を上辺開口から充填する。土壌基材４は予め濡れた湿潤状態にしておくことが好ましく、これをスコップ等の道具を利用して箱体３に目一杯になるまで充填するが、このとき棒等の詰め込み部材を用いて密状態にすることが好ましい。その後、箱体３、袋体２の開口している平面部３ｄ、２ｄを順次閉じてから、型材５をスリット２ｏが上面となるよう倒し、該型材５から袋体２を抜き出すことで苗床１を形成することができる。
尚、このものでは型材５を倒してから袋体２を抜き取っているが、型材５が底面のないものである場合には、起立姿勢のまま型材５を持ち上げることで苗床１を型材５から抜き出すことができ、該抜き出した苗床１を倒し、植栽作業に移行することができる。
因みに、本実施の形態の苗床１は、厚紙により形成された箱体３により確りとした形状維持が図れるものであるため、型材５を用いないでも土壌基材４を充填することができる。
【００１３】
前記形成された苗床１は、植物Ａが植栽される前に枠材６が組み付けられる。枠材６は、上枠７、左右側枠８、下枠９、格子枠１０、背面枠１１とにより構成されている。勿論、植物Ａが植栽された後、枠材６を組み付けるようにしてもよいことはいうまでもない。
上枠７と下枠９とは天地勝手違いであるため、下枠９について説明をし、上枠７の説明は省略する。下枠９は、縦片９ａと、該縦片９ａの上端から前後に延びる上片９ｂと、該上片９ｂの前端から上方に延び、上端に後述する格子枠１０に設けた係止体１０ｃが係止するフック状の係止片９ｃと、上片９ｂにおいて、縦片９ａ位置よりも僅かに係止片９ｃ側に偏倚した位置から上方に延びたものの上端に形成される前側ビスポケット９ｄと、上片９ｂの後端から上方に延びたものの上端に形成される後側ビスポケット９ｅとを備えて構成されている。そして枠材６を苗床１に組み込んだ状態では、袋体平面部２ｄが苗床１の上面となり、袋体正面部２ａが苗床の前面となるが、前記下枠９の係止片９ｃは、苗床１の前面と下面とのコーナー部に当接するか隣接対向するようになっている。また、下枠９の後端部に位置する後側ビスポケット９ｅは、苗床１の前後方向中間部にまでしか至らないように下枠９の前後幅寸法が苗床１よりも幅狭に設定され、そして前後ビスポケット９ｄ、９ｅは苗床１の下面に当接するか近接対向するようになっている。
さらに係止片９ｃには、格子枠１０の縦格子１０ａが嵌入するための嵌入溝９ｆが形成され、縦片９ａには、後述するように建造物の壁面Ｇに固定するための取付け下地１５にボルト固定するためのボルト孔９ｇが形成され、上片９ｂには、後述する背面枠１１をビス１３を用いて取り付けるためのビス孔９ｈが形成されている。
尚、図中、７ａ、７ｂ、７ｃ、７ｄ、７ｅ、７ｇはそれぞれ上枠７の縦片、上片、係止片、前側ビスポケット、後側ビスポケット、ボルト孔であり、嵌入溝７ｆ、ビス孔７ｈは図８においては隠れているため見えない状態になっている。
そして、前記上枠７の前後幅寸法が苗床１よりも幅狭に設定されていることによって、苗床１の上面の後半部が上枠７から後方に突出して前記灌水孔２ｐ、３ｓが露出するようになっている。
【００１４】
次に左右側枠８について説明するが、左右側枠８は、左右勝手違いであるが、該左右側枠８は、前後方向に幅広の本体部８ａと、該本体部８ａの前端部に左右方向外方に向けてコ字形に折曲され、その前端に後述する格子枠１０に設けた係止体１０ｄが係止するフック状の係止片８ｂと、本体部８の後端に左右方向外方に向けて折曲する後端片８ｃとを備えて構成されている。
さらに本体部８ａには、上枠７のビスポケット７ｄ、７ｅにビス１２を螺入するためのビス孔８ｄが穿設され、係止片８ｂには、格子枠１０の横格子１０ｂが嵌入するための嵌入溝８ｅが形成されている。
そして上下枠７、９と左右側枠８とは、ビス孔８ｄに貫通したビス１２を前後ビスポケット７ｄ、７ｅに螺入することで固定されるようになっている。
【００１５】
格子枠１０は、縦横格子１０ａ、１０ｂにより形成されていて苗床１の前方への倒れ防止をすることになるが、縦横格子１０ａ、１０ｂの各端部には棒状の係止体１０ｃ、１０ｄが左右方向または上下方向に設けられている。そして格子枠１０は、横格子１０ｂの係止体１０ｄを、横格子１０ｂが嵌入溝８ｅに嵌入する状態で係止片８ｂの先端を乗り越えさせて係止することで抜け止め状の係止ができるようになっている。縦格子１０ａの係止体１０ｃについても同様にして上下枠７、１０に抜け止め状に係止される。
【００１６】
最後に背面枠１１であるが、該背面枠１１は、側面視コ字形をしており、複数（本実施の実施の形態では３本）の背面枠１１が左右方向に間隔を存する状態で上下枠７、９に固定されるようになるが、該背面枠１１の上下片には前記ビス１３が貫通するためのビス孔１１ａが形成されており、これら上下枠７、９と背面枠１１とは、ビス孔１１ａを貫通させたビス１３を上下枠７、９のビス孔７ｈ、９ｈに螺入することで固定されるようになっている。
【００１７】
そしてこのように苗床１に枠材６が組み込まれることで壁面緑化用ユニットＵが形成されるが、該緑化用ユニットＵは、図９に示す如く、背面枠１１を跨部が下側を向く状態で間隔を存して配置させ、その上に苗床１をセットする。ついで予め組み立てておいた上下左右および格子枠７、９、８、１０を苗床１にかぶせ、ビス１３を用いて上下枠７、９と背面枠１１とを固定することで組み立てられることになる。
【００１８】
このようにして組み立てられた緑化用ユニットＵに植物Ａを植栽することになるが、その手順は、図１０に示すように、袋体正面部２ａが上側となる状態でセットし、袋体スリット２ｏをこじ開けると箱体植付け孔３ｒから土壌基材４が露出することになり、この露出した土壌基材４に植物Ａを植栽し、この状態で少なくとも植物Ａが根付くまて育成させる。そしてこのものでは、後述するように壁面Ｇに緑化用ユニットＵを取り付けたとき、土壌基材４が袋体スリット２ｏからこぼれ出ないよう封止材１４を用いているが、該封止材１４は、例えば軟質発泡ポリウレタンのように通気性、通水性のある素材から選択され、箱体植付け孔３ｒよりも大きい平薄板形状をし、外周から中心位置まで切り込み１４ａが形成されている。そして、切り込み１４ａを通して植物Ａの根本が封止材１４の中心に位置するように移動させた後、袋体スリット２ｏをこじ開けた状態にして封止材１４を袋体正面部２ａと箱体正面部３ａとのあいだに挿入することで、緑化用ユニットＵを縦姿勢にしても土壌基材４がこぼれ出ないようにしている。この封止材１４の挿入作業は、植物Ａを植え込んだ直後、育成途中、出荷直前、壁面Ｇへの取付け前の何れでもよい。
【００１９】
次に、緑化用ユニットＵの植物Ａが育成し、ビルの外壁や擁壁、フェンス、モニュメント等の建造物の壁面Ｇに組み込んでもよい状態になったら、組み込み現場に搬送して壁面Ｇに取り付けることになるが、それには、まず、壁面Ｇに例えばアンカーボルトのような固定ボルト１６を突出させておき、該固定ボルト１６に後述する取付け下地１５をナット１６ａを介して固定する。
【００２０】
前記取付け下地１５は、前記固定ボルト１６が貫通するボルト孔１５ｍが穿設される縦片１５ａと、該縦片１５ａのボルト固定位置よりも下側位置から前方に向けて突出する上下二枚の上側片１５ｂ、下側片１５ｃと、上下側片１５ｂ、１５ｃの前端に形成され、取付けボルト１７のボルト頭部１７ａが左右方向にスライド移動自在に嵌合されるボルト支持溝１５ｄと、該ボルト支持溝１５ｄの後側に形成され、灌水パイプ１８を遊嵌状に支持するパイプ支持溝１５ｅとを備えて構成されている。
【００２１】
前記パイプ支持溝１５ｅは、上面１５ｆ、前後面１５ｇ、１５ｈが灌水パイプ１８を遊嵌状に収納する広さに設定されているが、前後面１５ｇ、１５ｈの下端からは、下側ほど対向間隔が幅狭となり、下端が開口１５ｉするよう傾斜した前後のパイプ支持片１５ｊ、１５ｋが延出されている。上記開口１５ｉの開口寸法は、灌水パイプ１８が開口１５ｉから抜け落ちないように灌水パイプ１８の外径よりも小さく設定されており、而して、前記パイプ支持片１５ｊ、１５ｋによって灌水パイプ１８の下側半部を抜け止め状に支持できるようになっている。さらに、上側片１５ｂにおいてパイプ支持溝１５ｅの上面１５ｆとなる部分には、複数の水抜き孔１５ｎが形成されている。そして灌水パイプ１８に設けた灌水孔（図示せず）から水が供給されるが、該供給された水は、後述するように、パイプ支持片１５ｊ、１５ｋの下端開口１５ｉから袋体２に至り、さらに箱体３内に浸入して土壌基材４に給水される。
尚、灌水パイプ１８は、一端側は水道に接続された本配管１９に分岐接続され、他端側はレ字状に折り曲げた状態で緊締具２０で締めることにより止水されるようになっている。灌水パイプ１８を折り曲げることにより、該折り曲げ部分が太り、パイプ支持溝１５ｅに入り込まない場合には、例えばパイプ支持溝１５ｅを短く切り落として折り曲げ部分の配設スペースを確保するようにすることができる。
【００２２】
図１、図２においては、上下に三列、左右に二行の緑化用ユニットＵを併設して構成した壁面緑化装置Ｒを例示するものであり、このように上下に複数列の緑化用ユニットＵを並設するには、まず、上下方向に所定間隔（緑化用ユニットＵの上下幅に対応する間隔）を存する状態で、緑化用ユニットＵの列数よりも一本多い本数の取付け下地（緑化用ユニットＵが三列の場合には四本）１５を壁面Ｇに水平状に固定する。この場合、図１６に示すように、固定ボルト１６に取付け下地１５のボルト孔１５ｍを挿入し、ナット１６ａを用いて取付け下地１５を壁面Ｇに固定する。しかる後、取付け下地１５のパイプ支持溝１５ｅに灌水パイプ１８を挿通し、該灌水パイプ１８の一端側を本配管１９に接続する。
次いで、取付け下地１５の上下間に配されるように緑化用ユニットＵを取付け下地１５に固定するが、この場合、図１７に示すように、取付けボルト１７のボルト頭部１７ａを取付け下地ボルト支持溝１５ｄに組み込み、取付けボルト１７を緑化用ユニットＵの凡その取り付け位置にスライド移動させる。そして、緑化用ユニットＵの上下枠７、９のボルト孔７ｇ、９ｇに、該緑化用ユニットＵの上下に位置する取付け下地１５のボルト支持溝１５ｄに組み込まれた取付けボルト１７をそれぞれ貫通させて、緑化用ユニットＵを取付け下地１５に仮保持する。この仮保持状態で緑化用ユニットＵを正規の取り付け位置まで移動させ、取付けボルト１７にナット１７ｂを螺合して緊締することにより、緑化用ユニットＵを壁面Ｇに固定できるようになっている。この場合に、図１、図２に示すように上下に複数列の緑化用ユニットＵを並設する場合には、最も上側および下側に配される取付け下地１５を除く中間位置の取付け下地１５は、該取付け下地１５の上側に位置する緑化用ユニットＵの下枠９の縦片９ａと、下側に位置する緑化用ユニットＵの上枠７の縦片７ａとを、ボルト孔９ｇ、７ｇ同士が位置合せされるように前後に重ね合わせた状態で、これらボルト９ｇ、７ｇに取付けボルト１７を貫通させることで、該取付けボルト１７が共通化された状態で上側の緑化用ユニットＵの下枠９と下側の緑化用ユニットＵの上枠７とを同時に固定できる構成になっており、これにより、緑化用ユニットＵを効率的に取付け下地１５に固定できるようになっている。
尚、本実施の形態では、上中下三列の緑化用ユニットＵを取付け下地１５に取付けるにあたり、上列の緑化用ユニットＵの上枠７、および下列の緑化用ユニットＵの下枠９を取付け下地１５に取り付けた後、中列の緑化用ユニットＵの上枠７を上列の緑化用ユニットＵの下枠９と共に、また、中列の緑化用ユニットＵの下枠９を下列の緑化用ユニットＵの上枠７と共に取付けるようにしている。このようにすることにより、中列の緑化用ユニットＵについては単独で取り外すことができ、上列、下列の緑化用ユニットＵの何れか一方を取り外したいときには、中列の緑化用ユニットＵを取り外した後に、取り外したい側の上列、下列の緑化用ユニットＵを取り外すことができることになり、これとは逆に中列の緑化用ユニットＵを最初に取り付け、上下列の緑化用ユニットＵをその後取付けた場合のように、中列の緑化用ユニットＵを取り外すときに上下両方の緑化用ユニットＵを外さなければならないようなことがなく、メンテナンス性が向上する。
【００２３】
この様にして緑化用ユニットＵは取付け下地１５に固定されるが、該緑化用ユニットＵが取付け下地１５に固定された状態で、取付け下地１５のパイプ支持溝１５ｅの下端開口１５ｉは、上枠７から後方に突出する苗床１後半部の上方に位置するように設定されている。つまり、前述したように、上枠７は苗床１よりも前後方向幅狭に形成されていて、苗床１の後半部は上枠７から後方に突出して灌水孔２ｐ、３ｓが露出するようになっているが、該上枠７から後方に突出する苗床１後半部の上方にパイプ支持溝１５ｅの下端開口１５ｉが位置することによって、灌水パイプ１８から供給される水を、上枠７に妨げられることなく確実に灌水孔２ｐ、３ｓから土壌基材４に供給できるようになっている。尚、背面枠１１は前述したように左右方向に間隔を存する状態で設けられているため、灌水パイプ１８から苗床１への給水が背面枠１１によって妨げられる惧れは無い。
さらに、前記灌水パイプ１８から土壌基材４に供給された水のうち余剰分は、箱体３の細孔３tから袋体２を通って緑化用ユニットＵの下方に流れて、該緑化用ユニットＵの下側に位置する取付け下地１５の上側片１５ｂに落下するが、該上側片１５ｂには、前述したようにパイプ支持溝１５ｅの上面１５ｆとなる部分に水抜き孔１５ｎが形成されており、該水抜き孔１５ｎからパイプ支持溝１５ｅに浸入する。そして、該パイプ支持溝１５ｅに浸入した余剰水は、パイプ支持片１５ｊ、１５ｋの下端開口１５ｉから落下して下側の緑化用ユニットＵの苗床１に供給されるようになっており、而して、緑化用ユニットＵから流出する余剰水も無駄にすることなく使用できるようになっている。尚、本実施の形態では、上枠７と下枠９とは天地勝手で違いであるため、苗床１の後半部は下枠９からも後方に突出しており、これにより、余剰水が緑化用ユニットＵから排出されやすい構造になっている。
また、前述したように、パイプ支持溝１５ｅの下部を形成するパイプ支持片１５ｊ、１５ｋは、下側ほど対向間隔が幅狭となって下端が開口１５ｉするように傾斜しているため、該傾斜するパイプ支持片１５ｊ、１５ｋによって灌水パイプ１８を位置決め状に支持できると共に、灌水パイプ１８から供給される水や、水抜き孔１５ｎから浸入した水を、パイプ支持溝１５ｅ内で停留させることなく開口１５ｉから確実に下方に落下させることができる構成になっている。
【００２４】
ここで、前記灌水パイプ１８は、汎用のものが用いられているため詳細な説明は省略するが、複数の灌水孔から同圧、同水量の水が流出されるように構成されている。さらに、本実施の形態では、本配管１９と水道とのあいだの配管に、タイマおよび液肥供給部（何れも図示せず）が接続されていて、緑化用ユニットＵに予め設定した時間に自動的に給水されるようになっていると共に、灌水パイプ１８から緑化用ユニットＵに供給される水に、例えば微量要素等の肥料を含む液体肥料を適宜追加することができるようになっている。また、本実施の形態では、最下端に配される緑化用ユニットＵから排出された余剰水を樋２１に流す構成になっているが、余剰水を循環させる構成にすることもできる。
【００２５】
叙述の如く構成された本実施の形態において、建造物の壁面Ｇを植物Ａで緑化するための壁面緑化装置Ｒは、水平方向を向く状態で壁面Ｇに固定される取付け下地１５に、植物Ａが植栽される苗床１を枠材６で支持してなる緑化用ユニットＵを取付けて構成されることになるが、前記取付け下地１５には、苗床１に灌水するための灌水パイプ１８が配設されるパイプ支持溝１５ｅが形成されている。
【００２６】
この結果、灌水パイプ１８を緑化用ユニットＵに設置したり固定したりすることなく配することができることになって、メンテナンスや交換等のために緑化用ユニットＵを取付け下地１５から取外し、取付けするような場合に、灌水パイプ１８はそのままの状態で緑化用ユニットＵを単独で取外し、取付けすることができ、また、灌水パイプ１８をメンテナンスや交換等のために取外し、取付けするような場合にも、緑化用ユニットＵはそのままの状態で灌水パイプ１８を単独で取外し、取付けできることになって、作業性が大幅に向上すると共に、取外し、取付けの際に、緑化用ユニットＵに植設された植物Ａを傷めてしまうような不具合を回避できる。
【００２７】
しかも、前記取付け下地１５に形成されるパイプ支持溝１５ｅは、灌水パイプ１８を収納できる広さを有し、下端が灌水パイプ１８の外径よりも小さな開口寸法で開口１５ｉしている。而して、灌水パイプ１８から供給される水は、パイプ支持溝１５ｅの下端開口１５ｉから苗床１に供給されることになると共に、灌水パイプ１８はパイプ支持溝１５ｅに収納される状態で配設されることになるから、灌水パイプ１８が外部から目視されることなく、壁面緑化装置Ｒの意匠を大幅に向上させることができる。
【００２８】
さらにこのものにおいて、パイプ支持溝１５ｅの下部を形成するパイプ支持片１５ｊ、１５ｋは、下側ほど対向間隔が幅狭となるよう傾斜状に形成され、該パイプ支持片１５ｊ、１５ｋの下端が開口１５ｉしており、而して、前記傾斜するパイプ支持片１５ｊ、１５ｋによって灌水パイプ１８を位置決め状に支持できると共に、灌水パイプ１８から供給される水を、パイプ支持溝１５ｅ内で停留させることなく確実に開口１５ｉから下方に落下させることができる。
【００２９】
また、緑化用ユニットＵの苗床１を支持する枠材６は、苗床１の上側を支持する上枠７を備えているが、該上枠７は、苗床１よりも前後方向幅狭に形成されていて苗床１の上面の後半部が上枠７から後方に突出する構成になっていると共に、灌水パイプ１８が配設されるパイプ支持溝１５ｅの下端の開口１５ｉは、上枠７から後方に突出する苗床１後半部の上方に位置するように設定されている。これにより、灌水パイプ１８から供給される水を、上枠７に妨げられることなく確実に苗床１に供給することができる。
尚、本実施の形態では、苗床１の上面の後半部が上枠から後方に突出する構成になっているが、苗床１の上面の前半部が上枠から前方に突出する構成にすることもできる。
【００３０】
また、このものにおいて、取付け下地１５には、緑化用ユニットＵを取付けるための取付けボルト１７が配置されるボルト支持溝１５ｄが形成されているが、該ボルト支持溝１５ｄの後側に、灌水パイプ１８が配設されるパイプ支持溝１５ｅが形成されており、而して、取付け下地１５の上下幅を長くすることなくパイプ支持溝１５ｅを設けることができることになって、その分、上下に隣接する緑化用ユニットＵを近接して配することができ、更なる意匠性の向上に貢献できる。
【００３１】
さらに、本実施の形態のように複数列の緑化用ユニットＵを並設する場合、取付け下地１５は上下方向に間隔を存する状態で複数配置され、これら取付け下地１５の上下間に緑化用ユニットＵがそれぞれ配置されることになるが、パイプ支持溝１５ｅの上面１５ｆを形成する上側片１５ｂには、上側に配置される緑化用ユニットＵから流出する余剰水をパイプ支持溝１５ｅに流すための水抜き孔１５ｎが形成されている。これにより、上側の緑化用ユニットＵから流出する余剰水を、パイプ支持溝１５ｅを経由して下側の緑化用ユニットＵに供給できることになり、而して、余剰水も無駄にすることなく使用できることになって、コスト低減に寄与できる。
【産業上の利用可能性】
【００３２】
本発明は、ビルの外壁や擁壁、フェンス、モニュメント等の建造物の壁面を緑化するための壁面緑化装置に利用することができる。
【符号の説明】
【００３３】
１      苗床
６      枠材
７      上枠
１５    取付け下地
１５ｄ  ボルト支持溝
１５ｅ  パイプ支持溝
１５ｆ  上面
１５ｉ  開口
１５ｊ、１５ｋ  パイプ支持片
１５ｎ  水抜き孔
１７    取付けボルト
１８    灌水パイプ
Ｕ      緑化用ユニット
Ｇ      壁面
Ａ      植物
Ｒ      壁面緑化装置
【図１】
2014195416.tif 000003
【図２】
2014195416.tif 000004
【図３】
2014195416.tif 000005
【図４】
2014195416.tif 000006
【図５】
2014195416.tif 000007
【図６】
2014195416.tif 000008
【図７】
2014195416.tif 000009
【図８】
2014195416.tif 000010
【図９】
2014195416.tif 000011
【図１０】
2014195416.tif 000012
【図１１】
2014195416.tif 000013
【図１２】
2014195416.tif 000014
【図１３】
2014195416.tif 000015
【図１４】
2014195416.tif 000016
【図１５】
2014195416.tif 000017
【図１６】
2014195416.tif 000018
【図１７】
2014195416.tif 000019